(57)【要約】【課題】移動通信端末機のようなＤＭＢ受信機内におけるＤＭＢ信号処理装置及び方法において、少なくとも２つのアンテナより受信した少なくとも２つの信号のうち、一定レベル以上の１信号が選択的にＤＭＢ経路を介してＤＭＢチップセットに提供されるようにすることによって、ＤＭＢ受信装置の構成をより簡素化し、かつ、製造コストを低減する。【解決手段】少なくとも２つのアンテナ１０ａ，ｂより受信した少なくとも２つの信号のうち一つを選択するアンテナスイッチングユニット４０と、該選択信号を事前処理するモバイル放送経路ユニット６０と、事前処理された信号の信号レベルを検出し、アンテナスイッチングユニット４０を制御するモバイル放送チップセットユニット９０と、を備え、モバイル放送チップセットユニット９０は、前記検出された信号レベルに基づいて、アンテナスイッチングユニット４０が少なくとも２つの信号のうち他の一つを選択するように制御することを特徴とするモバイル放送信号処理装置を提供する。【選択図】図１
2006148934.tif 000002
【特許請求の範囲】
【請求項１】
少なくとも２つのアンテナより受信したモバイル放送信号を処理するためのモバイル放送信号処理装置であって、
前記少なくとも２つのアンテナより受信した少なくとも２つの信号のうち一つを選択するアンテナスイッチングユニットと、
前記選択された信号を事前処理するモバイル放送経路ユニットと、
前記事前処理された信号の信号レベルを検出し、前記アンテナスイッチングユニットを制御するモバイル放送チップセットユニットと、を備え、
前記モバイル放送チップセットユニットは、前記検出された信号レベルに基づいて、前記アンテナスイッチングユニットが前記少なくとも２つの信号のうち他の一つを選択するように制御することを特徴とするモバイル放送信号処理装置。
【請求項２】
前記モバイル放送チップセットユニットは、前記事前処理された信号の信号レベルを所定の基準信号レベルと比較し、前記事前処理された信号の信号レベルが前記所定の基準信号レベルよりも低いと、前記アンテナスイッチングユニットが前記少なくとも２つの信号のうち他の一つを選択するように制御することを特徴とする請求項１に記載のモバイル放送信号処理装置。
【請求項３】
前記アンテナスイッチングユニット用のスイッチコントローラユニットをさらに備え、前記モバイル放送チップユニットは、前記スイッチコントローラユニットを介して、前記アンテナスイッチングユニットが前記少なくとも２つの信号のうち他の一つを選択するように制御することを特徴とする請求項１または請求項２に記載のモバイル放送信号処理装置。
【請求項４】
少なくとも２つのアンテナより受信したモバイル放送信号を処理するためのモバイル放送信号処理方法であって、
前記少なくとも２つのアンテナより少なくとも２つの信号を受信する段階と、
前記少なくとも２つの信号のうち一つを選択する段階と、
前記選択された信号を事前処理する段階と、
前記事前処理された信号の信号レベルを検出する段階と、
前記検出された信号レベルに基づいて、前記少なくとも２つの信号のうち他の一つを選択する必要があるか否かを決定する段階と、
を含むことを特徴とするモバイル放送信号処理方法。
【請求項５】
前記決定段階は、
前記検出された信号レベルを所定の基準信号レベルと比較する段階と、
前記検出された信号レベルが前記所定の基準信号レベルよりも低いと、前記少なくとも２つの信号のうち他の一つを選択する段階と、
を含むことを特徴とする請求項４に記載のモバイル放送信号処理方法。
【請求項６】
少なくとも２つのアンテナより受信したモバイル放送信号を処理するためのモバイル放送信号処理装置であっで、
前記少なくとも２つのアンテナより受信した少なくとも２つのモバイル放送信号のうち一つは、移相させた第１の移相信号として出力し、前記少なくとも２つのモバイル放送信号のうち他の一つは、移相させない第１の非移相信号として出力する移相ユニットと、
前記第１の移相信号及び前記第１の非移相信号を交互にスイッチングし混合信号として出力するアンテナスイッチングユニットと、
前記混合信号を事前処理するモバイル放送経路ユニットと、
前記アンテナスイッチングユニットと同期して前記事前処理された信号を交互にスイッチングし、前記事前処理された信号を第２の移相信号及び第２の非移相信号とに分けるポートスイッチングユニットと、
前記第２の移相信号を第３の非移相信号に復元する位相復元回路と、
前記第２の非移相信号の信号レベルと前記第３の非移相信号の信号レベルとを比較し、前記アンテナスイッチングユニット及び前記ポートスイッチングユニットが相互に同期するように制御するモバイル放送チップセットユニットと、を備え、
前記モバイル放送チップセットの比較結果に基づき、前記少なくとも２つのアンテナより受信した少なくとも２つのモバイル放送信号のうち一つが、その信号レベルが所定の基準信号レベルよりも低くなるまで、前記モバイル放送経路ユニットを介して前記モバイル放送チップセットに入力されるように固定的に選択されることを特徴とするモバイル放送処理装置。
【請求項７】
前記モバイル放送チップセットは、前記アンテナスイッチングユニット及び前記ポートスイッチングユニットが固定的にスイッチングされるように制御し、前記少なくとも２つのアンテナからの少なくとも２つのモバイル放送信号のうち一つが、前記モバイル放送経路ユニットを介して前記モバイル放送チップセットに供給されるようにし、該モバイル放送チップセットに供給される信号は、第２の非移相信号及び第３の非移相信号のうち、信号レベルの高い信号に相応するものであることを特徴とする請求項６に記載のモバイル放送処理装置。
【請求項８】
前記アンテナスイッチングユニット及び前記ポートスイッチングユニットのためのスイッチコントローラユニットをさらに備え、前記モバイル放送チップセットは、前記スイッチコントローラユニットを介して、前記アンテナスイッチングユニット及び前記ポートスイッチングユニットを制御することを特徴とする請求項６または請求項７に記載のモバイル放送処理装置。
【請求項９】
少なくとも２つのアンテナより受信したモバイル放送信号を処理するためのモバイル放送信号処理装置方法であって、
前記少なくとも２つのアンテナより少なくとも２つのモバイル放送信号を受信する段階と、
前記受信した少なくとも２つのモバイル放送信号のうち一つは、移相させた第１の移相信号として出力し、前記少なくとも２つのモバイル放送信号のうち他の一つは、移相させない第１の非移相信号として出力する段階と、
前記第１の移相信号及び前記第１の非移相信号により混合信号を生成する段階と、
前記混合信号を事前処理する段階と、
前記事前処理された信号を、第２の移相信号と第２の非移相信号とに分ける段階と、
前記第２の移相信号を第３の非移相信号に復元する段階と、
前記第２の非移相信号の信号レベルと前記第３の非移相信号の信号レベルとを比較する段階と、
前記信号レベルの比較結果に基づき、前記少なくとも２つのアンテナより受信した少なくとも２つのモバイル放送信号のうち一つを、その信号レベルが所定の基準信号レベルよりも低くなるまで、モバイル放送サービス用に使われるように選択する段階と、
を含むことを特徴とするモバイル放送信号処理方法。
【請求項１０】
前記選択段階で選択されたモバイル放送信号は、前記第２の非移相信号及び前記第３の非移相信号のうち信号レベルの高い信号に相応するものであることを特徴とする請求項９に記載のモバイル放送処理方法。
【発明の詳細な説明】
【技術分野】
【０００１】
本発明は、好適にはデジタルマルチメディア放送(Digital Multimedia Broadcasting；以下、“ＤＭＢ”と称する。)サービスに係り、特に、移動通信端末機のようなＤＭＢ受信機内におけるＤＭＢ信号処理装置及び方法に関する。
【背景技術】
【０００２】
近来、ＣＤ、ＤＶＤ等の優れた音質のデジタルオーディオ機器が急激に普及して普遍化するに伴い、高音質のデジタル放送への聴取者要求も増加しつつある。そこで、ヨーロッパ、カナダ、米国などでは、既存のＦＭ放送における音質の限界を克服すべくデジタルオーディオ放送（Digital Audio Broadcasting：ＤＡＢ）を実施している。デジタルオーディオ放送システムは、現在のＡＭ放送やＦＭ放送とは全く違う技術を用いるもので、ハイクォリティの音質の他に、移動中にも優れた受信能力を提供し、かつ、映像や文字のようなデジタルデータも高速で送信できる特長を有する。このようなモバイル放送サービスは、最近ではオーディオ放送よりは映像を含むマルチメディアサービスに強調が置かれている点から、韓国ではデジタルマルチメディア放送(Digital Multimedia Broadcasting)と呼ばれている。ちなみに、米国及びヨーロッパでは、韓国とは異なる形態のモバイル放送サービスが推進されており、米国のモバイル放送サービスはメディアフロー(media FLO)と呼ばれ、ヨーロッパのモバイル放送サービスはＤＶＢ−Ｈ(Digital Video Broadcasting-Handheld)と呼ばれている。
【０００３】
次に、従来技術によるＣＤＭＡ移動通信端末機におけるＤＭＢ信号処理装置の構成について、図５を参照しつつ詳しく説明する。
【０００４】
同図に示すように、ＤＭＢ信号を含むＣＤＭＡ信号が、ＤＭＢ_ＣＤＭＡアンテナ１０ａからダイプレクサ(diplexer)２０ａに入力される。入力された信号は、ダイプレクサ２０ａでＣＤＭＡ信号及びＤＭＢ信号にそれぞれ分岐される。その内、ＣＤＭＡ信号は、ＣＤＭＡ無線経路(RF path)５０に入力されてＣＤＭＡ通信のために使われ、一方、ＤＭＢ信号は、ＰＭＳＢ(Personal Multimedia Satellite Broadcasting)ダイバシティ経路６０ａに入力される。
【０００５】
一般に、ＰＭＳＢダイバシティ経路６０ａは、ＬＮＡ(Low Noise Amplifier)６１ａ、ＳＡＷ(Surface Acoustic Wave)フィルタ６３ａ、ＤＭＢＴＶチューナ６５ａなどから構成され、ＤＭＢチップセット９０の入力として適合するようにＤＭＢ信号を事前処理(pre-processing)する機能を担う。
【０００６】
一方、他のＤＭＢ信号がＤＭＢアンテナ１０ｂからダイプレクサ２０ｂに入力される。ここで、ダイプレクサ２０ｂは、信号を分岐するためのものではなく、単なる遅延用で、ＤＭＢ_ＣＤＭＡアンテナ１０ａで受信したＤＭＢ信号がダイプレクサ２０ａを通過するのに要する時間遅延分だけ、ＤＭＢアンテナ１０ｂで受信したＤＭＢ信号を時間遅延させるためのものである。
【０００７】
ダイプレクサ２０ｂで時間遅延されたＤＭＢ信号は、ＰＭＳＢ主経路（main path）６０ｂに入力される。
【０００８】
一般に、ＰＭＳＢ主経路６０ｂは、ＰＭＳＢダイバシティ経路６０ａと同様に、ＬＮＡ６１ｂ、ＳＡＷフィルタ６３ｂ、ＤＭＢＴＶチューナ６５ｂなどで構成され、以後のＤＭＢチップセット９０の入力として適合するようにＤＭＢ信号を事前処理(pre-processing)する。
【０００９】
このようにＰＭＳＢダイバシティ経路６０ａを通過したＤＭＢ信号及びＰＭＳＢ主経路６０ｂを通過したＤＭＢ信号の両方とも、ＤＭＢチップセット９０に入力される。すると、ＤＭＢチップセット９０は、両ＤＭＢ信号を互いに比較して受信信号レベルのより優れたＤＭＢ信号を選択し、これを用いてＤＭＢサービスのための信号処理を行う。
【発明の開示】
【発明が解決しようとする課題】
【００１０】
上記のような従来構成の処理装置において、ＰＭＳＢダイバシティ経路６０ａまたはＰＭＳＢ主経路６０ｂを主として構成するＬＮＡ(６１ａまたは６１ｂ)、ＳＡＷフィルタ(６３ａまたは６３ｂ)、ＤＭＢＴＶチューナ(６５ｃまたは６５ｃ)等は高価であるにも拘わらず、一方の経路のＤＭＢ信号がＤＭＢチップセットで選択されてからは、他方の経路の高価なＬＮＡ、ＳＡＷフィルタ、ＤＭＢＴＶチューナ等は不必要なものとなってしまうという問題点があった。
【００１１】
本発明はこの問題点を解決するためのもので、その目的は、複数のアンテナより受信したＤＭＢ信号のうち一つを、一つのＰＭＳＢ経路を用いて選択的に取り込むことができる、デジタルマルチメディア放送処理に適したモバイル放送信号処理装置及び方法を提供することにある。
【課題を解決するための手段】
【００１２】
上記目的を達成するために、本発明は、少なくとも２つのアンテナより受信したモバイル放送信号を処理するためのモバイル放送信号処理装置であって、前記少なくとも２つのアンテナより受信した少なくとも２つの信号のうち一つを選択するアンテナスイッチングユニットと、当該選択された信号を事前処理するモバイル放送経路ユニットと、この事前処理された信号の信号レベルを検出し、前記アンテナスイッチングユニットを制御するモバイル放送チップセットユニットと、を備え、そのモバイル放送チップセットユニットは、前記検出された信号レベルに基づいて、前記アンテナスイッチングユニットが前記少なくとも２つの信号のうち他の一つを選択するように制御することを特徴としたモバイル放送信号処理装置を提供する。
【００１３】
また、上記目的を達成するために、本発明は、少なくとも２つのアンテナより受信したモバイル放送信号を処理するためのモバイル放送信号処理方法であって、前記少なくとも２つのアンテナより少なくとも２つの信号を受信する段階と、その少なくとも２つの信号のうち一つを選択する段階と、該選択された信号を事前処理する段階と、この事前処理された信号の信号レベルを検出する段階と、当該検出された信号レベルに基づいて、前記少なくとも２つの信号のうち他の一つを選択する必要があるか否かを決定する段階と、を含むことを特徴としたモバイル放送信号処理方法を提供する。
【００１４】
また、本発明の他の態様によれば、少なくとも２つのアンテナより受信したモバイル放送信号を処理するためのモバイル放送信号処理装置であっで、前記少なくとも２つのアンテナより受信した少なくとも２つのモバイル放送信号のうち一つは、移相させた第１の移相信号として出力し、前記少なくとも２つのモバイル放送信号のうち他の一つは、移相させない第１の非移相信号として出力する移相ユニットと、これら第１の移相信号及び第１の非移相信号を交互にスイッチングし混合信号として出力するアンテナスイッチングユニットと、該混合信号を事前処理するモバイル放送経路ユニットと、前記アンテナスイッチングユニットと同期して前記事前処理された信号を交互にスイッチングし、該事前処理された信号を第２の移相信号及び第２の非移相信号に分けるポートスイッチングユニットと、その第２の移相信号を第３の非移相信号に復元する位相復元回路と、前記第２の非移相信号の信号レベルと前記第３の非移相信号の信号レベルとを比較し、前記アンテナスイッチングユニット及び前記ポートスイッチングユニットが相互に同期するように制御するモバイル放送チップセットユニットと、を備え、そのモバイル放送チップセットの比較結果に基づき、前記少なくとも２つのアンテナより受信した少なくとも２つのモバイル放送信号のうち一つが、その信号レベルが所定の基準信号レベルよりも低くなるまで、前記モバイル放送経路ユニットを介して前記モバイル放送チップセットに入力されるように固定的に選択されるモバイル放送処理装置を提供する。
【００１５】
本発明のさらに他の態様によれば、少なくとも２つのアンテナより受信したモバイル放送信号を処理するためのモバイル放送信号処理方法であって、前記少なくとも２つのアンテナより少なくとも２つのモバイル放送信号を受信する段階と、該受信した少なくとも２つのモバイル放送信号のうち一つは、移相させた第１の移相信号として出力し、前記少なくとも２つのモバイル放送信号のうち他の一つは、移相させない第１の非移相信号として出力する段階と、これら第１の移相信号及び前記第１の非移相信号により混合信号を生成する段階と、該混合信号を事前処理する段階と、この事前処理された信号を、第２の移相信号と第２の非移相信号とに分ける段階と、該第２の移相信号を第３の非移相信号に復元する段階と、前記第２の非移相信号の信号レベルと前記第３の非移相信号の信号レベルとを比較する段階と、この信号レベルの比較結果に基づき、前記少なくとも２つのアンテナより受信した少なくとも２つのモバイル放送信号のうち一つを、その信号レベルが所定の基準信号レベルよりも低くなるまで、モバイル放送サービス用に使われるように選択する段階と、を含むことを特徴としたモバイル放送信号処理方法を提供する。
【発明の効果】
【００１６】
本発明によるＤＭＢ信号処理装置及び方法によれば、少なくとも２つのアンテナより受信した少なくとも２つのＤＭＢ信号のうち、一定信号レベル以上の１信号が一つのＤＭＢ経路を介してＤＭＢチップセットに提供されるため、ＤＭＢ受信装置の構成を一層簡素化し、かつ、製造コストを低減することが可能になる。
【発明を実施するための最良の形態】
【００１７】
以下、本発明に係るモバイル放送信号処理装置及び方法について、添付の図面を参照しつつ詳細に説明する。ただし、以下では、本発明が、世界各国のモバイル放送サービスのうち、現在韓国で推進中のＤＭＢサービスに適用される場合を例に挙げて説明する。したがって、以下の説明で言及される“ＤＭＢ”は、世界各国で推進中のモバイル放送を意味するものであり、本発明は、韓国のＤＭＢサービスだけでなく、米国のメディアフロー及びヨーロッパのＤＶＢ−Ｈモバイル放送サービスなどにも適用可能であるものとして解釈されるべきである。
【００１８】
第１の実施形態
以下、図１及び図２に基づき、本発明の第１の実施形態によるＤＭＢ信号処理装置及び方法について説明する。
【００１９】
まず、図１を参照すると、第１の実施形態によるＤＭＢ信号処理装置では、ＤＭＢ信号を含むＣＤＭＡ信号が、ＤＭＢ_ＣＤＭＡアンテナ１０ａよりダイプレクサ２０ａに入力される。これら入力された信号は、ダイプレクサ２０ａでＣＤＭＡ信号及びＤＭＢ信号に分岐される。その中、ＣＤＭＡ信号は、ＣＤＭＡ無線経路(RF path)５０に入力され、ＤＭＢ信号は、アンテナスイッチ４０に入力される。
【００２０】
一方、他のＤＭＢ信号が、ＤＭＢアンテナ１０ｂよりダイプレクサ２０ｂに入力される。ここで、ダイプレクサ２０ｂは、上にも述べたように、信号を分岐させるためのものではなく、単に、ＤＭＢ_ＣＤＭＡアンテナ１０ａで受信したＤＭＢ信号がダイプレクサ２０ａを通過しながら時間遅延された分だけ、ＤＭＢアンテナ１０ｂで受信したＤＭＢ信号を時間遅延させる役割を担う。このダイプレクサ２０ｂで時間遅延されたＤＭＢ信号は、アンテナスイッチ４０に入力される。
【００２１】
アンテナスイッチ４０は、スイッチコントローラ１００の制御下で、アンテナスイッチ４０に入力される２つのＤＭＢ信号のうち一つを選択する。これについては後述される。
【００２２】
アンテナスイッチ４０により選択されたＤＭＢ信号は、ＰＭＳＢ経路６０に入力される。ＰＭＳＢ経路６０は、上述した如くＬＮＡ６１、ＳＡＷフィルタ６３、ＤＭＢＴＶチューナ６５を備えていることが好ましい。アンテナスイッチ４０により選択されたＤＭＢ信号は、ＰＭＳＢ経路６０で、以降のＤＭＢチップセット９０への入力として適合するように事前処理(pre-processing)される。
【００２３】
ＰＭＳＢ経路６０で事前処理されたＤＭＢ信号は、ＤＭＢチップセット９０に入力される。このＤＭＢチップセット９０は、入力されたＤＭＢ信号を用いてＤＭＢサービスを提供する。また、ＤＭＢチップセット９０内の信号レベル検出器(signal level detector)９５は、入力されたＤＭＢ信号の信号レベルを検出し、これをあらかじめ設定された基準信号レベルと比較する。
【００２４】
この比較結果、事前処理されたＤＭＢ信号の信号レベルが、あらかじめ設定された基準信号レベルよりも大きいと、ＤＭＢチップセット９０は、選択されたＤＭＢ信号をＤＭＢサービスのために使用し続ける。一方、入力されたＤＭＢ信号の信号レベルが、あらかじめ設定された基準信号レベルよりも小さいと、ＤＭＢチップセット９０は、スイッチコントローラ１００を介して、現在選択されているＤＭＢ信号以外のＤＭＢ信号をアンテナスイッチ４０が選択するように制御する。
【００２５】
次に、図２に基づき、第１の実施形態によるＤＭＢ信号処理方法について説明する。
【００２６】
まず、２以上のアンテナで受信した２以上のＤＭＢ信号のうち一つが、アンテナスイッチにより選択される(Ｓ３１０)。選択されたＤＭＢ信号は、以降のＤＭＢチップセットへの入力として適合するように、ＰＭＳＢ経路で事前処理される(Ｓ３２０)。
【００２７】
事前処理されたＤＭＢ信号は、ＤＭＢチップセットに入力されてからＤＭＢサービスのために信号処理される一方、事前処理されたＤＭＢ信号の信号レベルがあらかじめ設定された基準信号レベルと比較される(Ｓ３３０)。
【００２８】
レベル比較の結果、事前処理されたＤＭＢ信号の信号レベルが、あらかじめ設定された基準信号レベルよりも大きいと、２以上のアンテナで受信した２以上のＤＭＢ信号のうち、現在選択されている信号が続けて選択される(Ｓ３４０)。一方、事前処理されたＤＭＢ信号の信号レベルが、あらかじめ設定された基準信号レベルよりも小さいと、２以上のアンテナで受信した２以上のＤＭＢ信号のうち、現在選択されている信号以外の一つの信号がアンテナスイッチにより選択される(Ｓ３５０)。
【００２９】
第２の実施形態
以下、図３及び図４を参照しつつ、本発明の第２の実施形態によるＤＭＢ信号処理装置及び方法について説明する。
【００３０】
まず、図３を参照すると、第２の実施形態によるＤＭＢ信号処理装置では、ＤＭＢ信号を含むＣＤＭＡ信号が、ＤＭＢ_ＣＤＭＡアンテナ１０ａよりダイプレクサ２０ａに入力される。この入力された信号は、ダイプレクサ２０ａでＣＤＭＡ信号及びＤＭＢ信号に分岐される。その中、ＣＤＭＡ信号は、ＣＤＭＡ無線経路５０に入力され、ＤＭＢ信号は、アンテナスイッチ４０に入力される。以下の説明及び図３において、分岐されたＤＭＢ信号は‘ａｂｃｄ’で表示される。
【００３１】
一方、他のＤＭＢ信号が、ＤＭＢアンテナ１０ｂよりダイプレクサ２０ｂに入力される。ここで、ダイプレクサ２０ｂは、上にも述べているように、信号を分岐するためのものではなく、単に、ＤＭＢ_ＣＤＭＡアンテナ１０ａで受信したＤＭＢ信号がダイプレクサ２０ａを通過しながら時間遅延された分だけ、ＤＭＢアンテナ１０ｂで受信したＤＭＢ信号を時間遅延させる役割を担うためのものである。以下の説明及び図３において、ダイプレクサ２０ｂで時間遅延されたＤＭＢ信号は、‘ＡＢＣＤ’で表示される。
【００３２】
その‘ＡＢＣＤ’信号は、移相器（phase shifter）３０に入力されて移相される。以下の説明及び図３において、移相された‘ＡＢＣＤ’信号は、‘＿ＡＢＣＤ’で表示される。
【００３３】
これら‘ａｂｃｄ’信号及び‘＿ＡＢＣＤ’信号は、アンテナスイッチ４０に入力される。アンテナスイッチ４０は、図３に示すように、２対１スイッチ(2 to 1 switch)(２入力・１出力)であり、後述するスイッチコントローラ１００の制御下で、‘ａｂｃｄ’信号及び‘＿ＡＢＣＤ’信号を迅速に交互にスイッチングし、互いに対応するデータが対をなす混合信号(mixed signal)を出力する。しかしながら、この混合信号は、アンテナスイッチ４０の有限的なスイッチング速度から、‘ａｂｃｄ’信号及び‘＿ＡＢＣＤ’信号の全データが互いに対応して対をなすように(例えば、‘ａＡｂＢｃＣｄＤ’となるように)構成されることはできない。したがって、アンテナスイッチ４０では、‘ａｂｃｄ’信号の一部及びこれに対応する‘＿ＡＢＣＤ’信号の一部が互いに対をなす混合信号が出力される。アンテナスイッチ４０から出力される混合信号は、以下の説明及び図３において、‘ａＡｃＣ’で表示される。
【００３４】
この‘ａＡｃＣ’信号は、ＰＭＳＢ経路６０に入力される。ＰＭＳＢ経路６０は、上述した如く、ＬＮＡ６１、ＳＡＷフィルタ６３、ＤＭＢＴＶチューナ６５を備えていることが好ましい。また、‘ａＡｃＣ’信号は、ＰＭＳＢ経路６０で以降のＤＭＢチップセット９０への入力として適合するように事前処理(pre-processing)される。
【００３５】
事前処理された‘ａＡｃＣ’信号は、ポートスイッチ７０に入力される。ポートスイッチ７０は、図３に示すように、１対２ポートスイッチ(１入力・２出力)であり、スイッチコントローラ１００の制御下で、アンテナスイッチ４０と同期して迅速に交互のスイッチング動作を行う。これにより、事前処理された‘ａＡｃＣ’信号は、ポートスイッチ７０より、移相していない信号と移相器３０で移相した信号とに区分して出力される。以下の説明及び図３において、移相していない信号は、‘ａ＿ｃ＿’で表示され、移相した信号は‘＿Ａ＿Ｃ’で表示される。‘＿Ａ＿Ｃ’信号は、位相復元器(phase restorer)８０に入力されて位相復元される。以下の説明及び図３において、位相復元された信号は‘Ａ＿Ｃ＿’で表示される。
【００３６】
これら‘ａ＿ｃ＿’信号及び‘Ａ＿Ｃ＿’は、ＤＭＢチップセット９０に入力される。ＤＭＢチップセット９０の信号レベル検出器９５は、‘ａ＿ｃ＿’信号の信号レベル及び‘Ａ＿Ｃ＿’の信号レベルを検出し、これらのレベルを比較する。
【００３７】
このレベル比較の結果、‘ａ＿ｃ＿’信号の信号レベルが相対的に大きいと、ＤＭＢチップセット９０は、スイッチコントローラ１００をして、ＤＭＢ_ＣＤＭＡアンテナ１０ａで受信したＤＭＢ信号がＤＭＢチップセット９０に供給されるように、アンテナスイッチ４０及びポートスイッチ７０の両方をスイッチングせしめる。すなわち、ＤＭＢチップセット９０は、スイッチコントローラ１００を介して、アンテナスイッチ４０が図３のＰ１に接続し続けるようにし、ポートスイッチ７０が図３のＰ３に接続し続けるようにする。これにより、ＤＭＢチップセット９０は、ＤＭＢ＿ＣＤＭＡアンテナ１０ａで受信したＤＭＢ信号を用いてＤＭＢサービスが提供できる。
【００３８】
一方、上記のレベル比較の結果、‘Ａ＿Ｃ＿’信号の信号レベルが相対的に大きいと、ＤＭＢチップセット９０は、スイッチコントローラ１００をして、ＤＭＢアンテナ１０ｂで受信したＤＭＢ信号がＤＭＢチップセット９０に供給されるように、アンテナスイッチ４０及びポートスイッチ７０の両方をスイッチングせしめる。すなわち、ＤＭＢチップセット９０は、スイッチコントローラ１００を介して、アンテナスイッチ４０が図３のＰ２に接続し続けるようにし、ポートスイッチ７０が図３のＰ４に接続し続けるようにする。これにより、ＤＭＢチップセット９０は、ＤＭＢアンテナ１０ｂより受信したＤＭＢ信号を用いてＤＭＢサービスが提供できる。
【００３９】
一方、ＤＭＢチップセット９０がＤＭＢサービスを提供中に、受信していたＤＭＢ信号の信号レベルがあらかじめ設定された基準信号レベルよりも弱くなると、ＤＭＢチップセット９０は、スイッチコントローラ１００を介してアンテナスイッチ４０及びポートスイッチ７０が再び迅速に交互のスイッチング動作を行うようにし、前述した如きＤＭＢ_ＣＤＭＡアンテナ１０ａからのＤＭＢ信号及びＤＭＢアンテナ１０ｂからのＤＭＢ信号のいずれかがＤＭＢサービスの提供に適合しているかを探索する手続きに再び取り掛かる。
【００４０】
次に、図３及び図４を参照しつつ、第２の実施形態によるＤＭＢ信号処理方法について詳しく説明する。
【００４１】
まず、ＤＭＢ_ＣＤＭＡアンテナ１０ａ及びＤＭＢアンテナ１０ｂより２つのＤＭＢ信号が受信される(Ｓ５０５)。
【００４２】
その後、これら２つのＤＭＢ信号のうち一つが、移相器３０で移相される(Ｓ５１０)。移相器３０を通過するＤＭＢ信号を第１の移相信号（first phase-shifted signal）といい、移相器３０を通過しないＤＭＢ信号を第１の非移相信号（first non-phase-shifted signal）という。
【００４３】
その後、第１の移相信号及び第１の非移相信号によりアンテナスイッチ４０で混合信号が生成される(Ｓ５１５)。続いて、混合信号がＰＭＳＢ経路６０で事前処理される(Ｓ５２０)。
【００４４】
その後、事前処理された信号は、ポートスイッチ７０で第２の移相信号（second phase-shifted signal）と第２の非移相信号（second non-phase-shifted signal）とに分けられる(Ｓ５２５)。そして、第２の移相信号は、移相復元器８０で位相復元（元の位相へ移相）されて第３の非移相信号として出力される(Ｓ５３０)。
【００４５】
その後、第２の非移相信号の信号レベルと第３の非移相信号の信号レベルとが、ＤＭＢチップセット９０で互いに比較される(Ｓ５３５)。
【００４６】
Ｓ５３５の比較結果に基づき、ＤＭＢ_ＣＤＭＡアンテナ１０ａで受信したＤＭＢ信号及びＤＭＢアンテナ１０ｂで受信したＤＭＢ信号のうちいずれか一つが、ＤＭＢサービス用に選択されて使われる(Ｓ５４０)。この選択手順についての説明は、既に詳述したのでここでは省かれる。
【００４７】
そして、選択されたＤＭＢ信号を用いてＤＭＢサービスを提供中に、選択されたＤＭＢ信号の信号レベルとあらかじめ設定された基準信号レベルとを継続してまたは周期的に比較する(Ｓ５４５)。
【００４８】
Ｓ５４５の比較結果、選択されたＤＭＢ信号の信号レベルがあらかじめ設定された基準信号レベルよりも大きいと、現在選択されているＤＭＢ信号をＤＭＢサービス提供のために使用し続ける(Ｓ５５０)。一方、選択されたＤＭＢ信号の信号レベルがあらかじめ設定された基準信号レベルよりも小さいと、Ｓ５１５段階に戻り、ＤＭＢ_ＣＤＭＡアンテナ１０ａからのＤＭＢ信号及びＤＭＢアンテナ１０ｂからのＤＭＢ信号のいずれかがＤＭＢサービスの提供に適合するかを探索する手順に再び取り掛かる。
【００４９】
以上では具体的な実施形態及び図面に基づいて本発明を説明してきたが、これらに限定されず、本発明の思想及び必須特徴を逸脱しない範囲で様々な形態に本発明を具体化できるということは、当業者にとって自明である。したがって、本発明の範囲は、添付した特許請求の範囲の合理的解析により定められるべきであり、本発明の等価的範囲内での全ての変更は、本発明の範囲に属するものと言えよう。
【図面の簡単な説明】
【００５０】
【図１】本発明の第１の実施形態によるＤＭＢ信号処理装置を示すブロック図である。
【図２】本発明の第１の実施形態によるＤＭＢ信号処理方法を示すフローチャートである。
【図３】本発明の第２の実施形態によるＤＭＢ信号処理装置を示すブロック図である。
【図４】本発明の第２の実施形態によるＤＭＢ信号処理方法を示すフローチャートである。
【図５】従来技術によるＣＤＭＡ移動通信端末機におけるＤＭＢ信号処理装置の構成を示すブロック図である。
【符号の説明】
【００５１】
１０ａ  ＤＭＢ_ＣＤＭＡアンテナ
１０ｂ  ＤＭＢアンテナ
２０ａ，２０ｂ  ダイプレクサ
３０  移相器
４０  アンテナスイッチ
５０  ＣＤＭＡ無線経路
６３  ＳＡＷフィルタ
６５  ＤＭＢＴＶチューナ
７０  ポートスイッチ
８０  位相復元器
９０  ＤＭＢチップセット
９５  信号レベル検出器
１００  スイッチコントローラ
【図１】
2006148934.tif 000003
【図２】
2006148934.tif 000004
【図３】
2006148934.tif 000005
【図４】
2006148934.tif 000006
【図５】
2006148934.tif 000007